(57)【要約】【課題】  複雑な構造や高精度な部品を使用せず、筆記具本体の後端側から芯を補充可能にする。【解決手段】  本発明の複式筆記具１におけるシャープペンシル筆記体３ａは、その後端側に設けられた芯ケース２１と、該芯ケース２１の後端の開口に装着された蓋体としてのスライダ１１とを備えている。スライダ１１は、シャープペンシル筆記体３ａの略軸心位置に、該シャープペンシル筆記体３ａの軸心方向へ芯ケース内外を連通する芯挿入孔２２を有している。芯挿入孔２２の芯ケース内側の開口は、その周縁部がシャープペンシル筆記体３ａの先端側へ突出するように形成されてなる突出部位２４を備えるとともに、芯Ｌが一本のみ挿通可能なサイズに設定されている。筆記具本体２は、その中に収容されたシャープペンシル筆記体３ａにおける芯挿入孔の芯ケース外側の開口に対し、該筆記具本体２の後端側から芯Ｌを挿入可能にするための芯通路２７を該後端側に備えている。【選択図】      図１
2007106051.tif 000002
【特許請求の範囲】
【請求項１】
少なくとも一本をシャープペンシル筆記体とした複数の筆記体を一本の筒状の筆記具本体内に収納し、いずれかの筆記体を選択的に先端側に突出させた筆記位置に切り換え可能に構成された複式筆記具であって、
前記シャープペンシル筆記体は、その後端側に設けられた芯ケースと、該芯ケースの後端の開口に装着された蓋体とを備え、
前記蓋体は、前記シャープペンシル筆記体の略軸心位置に、該シャープペンシル筆記体の軸心方向へ芯ケース内外を連通する芯挿入孔を有し、
前記芯挿入孔の芯ケース内側の開口は、その周縁部が前記シャープペンシル筆記体の先端側へ突出するように形成されてなる突出部位を備えるとともに、芯が一本のみ挿通可能なサイズに設定されており、
前記筆記具本体は、その中に収容された前記シャープペンシル筆記体における前記芯挿入孔の芯ケース外側の開口に対し、該筆記具本体の後端側から芯を挿入可能にするための芯通路を該後端側に備えている複式筆記具。
【請求項２】
前記芯挿入孔の芯ケース外側の開口は、前記シャープペンシル筆記体の後端側になるほど拡径してなる拡径部位が形成された請求項１記載の複式筆記具。
【請求項３】
前記芯挿入孔は、前記シャープペンシル筆記体の軸心方向へ芯をスライド自在にガイドするガイド部位を備えた請求項１又は２記載の複式筆記具。
【発明の詳細な説明】
【技術分野】
【０００１】
本発明は、少なくとも一本をシャープペンシルとした複数の筆記体を一本の筒体内に収納し、いずれかの筆記体を選択的に筆記位置に切り換え可能に構成された複式筆記具に関するものである。
【背景技術】
【０００２】
従来この種の複式筆記具においてシャープペンシル筆記体に芯を補充するためには、複式筆記具の筆記具本体からシャープペンシル筆記体を取り外さなければならないように構成されているものが多く、手間が掛かるとともに、筆記具本体に対するシャープペンシル筆記体の取り外し時に該筆記体内の芯が飛び散ったり、着脱時の衝撃で芯が折れたりすることがあるという欠点がある。この欠点を解消すべく、シャープペンシル筆記体を着脱することなく、単一の筆記体からなるシャープペンシルと同様に、筆記具本体の後端部から芯を挿入できるようにしたものが、各種提案されている。
【０００３】
例えば、特許文献１に記載された複合筆記具５０は、図８に示すように、シャープペンシル筆記体５２に連結されるスライダ５６を軸筒内を前後方向に誘導するガイド軸６４が後軸６２内を伸びている。後軸６２の内周面には、内径方向に突出する環状の係止段部６２ａが形成されて、ガイド軸６４の後端部には、係止段部６２ａに係止される複数の係止片６４ｂが形成されており、芯誘導体６８が後軸内に回転可能に配設されている。芯誘導体６８はシャープペンシル筆記体５２の芯ケースパイプ６０とほぼ同一線上で芯ケースパイプ６０の後端開口に連通する芯誘導部６８ｂを有している。
【０００４】
また、特許文献２に記載された複式筆記具７０は、図９に示すように、シャープペンシル筆記体７６の芯ケースパイプ８０の後端に固定された摺動コマ７４の後端に芯ケースパイプ８０に連通する芯挿通孔７４ｅが設けられ、又、円筒カム７３のカム斜面７３ａの内側にそのカム斜面７３ａと略相似の斜面７４ｄが設けられて、摺動コマ７４の芯挿通孔７４ｅが円筒カム７３の斜面に対し常に最小の隙間で対接するように設けられ、又更に、その摺動コマ７４が最後退側にある時にその芯挿通孔７４ｅに合致する芯挿通孔７３ｅが円筒カム７３に設けられると共に、円筒カム７３の芯挿通孔７３ｅを開口と閉塞状態に設定可能とする芯止め装置としての芯止めリング８１が円筒カム７３に取り付けられてなっている。
【０００５】
【特許文献１】特開２００４−１８１８３６号公報
【特許文献２】特開平１１−３１４４９１号公報
【発明の開示】
【発明が解決しようとする課題】
【０００６】
ところが、特許文献１の複合筆記具５０及び特許文献２の複式筆記具７０では、いずれも狭い空間内に複数の部品を精度良く配設しなければならない。このため、構造が複雑になり故障し易くなるとともに、製造コストが掛かるという課題がある。
【課題を解決するための手段】
【０００７】
上記課題を解決するために、本発明の複式筆記具は、
少なくとも一本をシャープペンシル筆記体とした複数の筆記体を一本の筒状の筆記具本体内に収納し、いずれかの筆記体を選択的に先端側に突出させた筆記位置に切り換え可能に構成された複式筆記具であって、
前記シャープペンシル筆記体は、その後端側に設けられた芯ケースと、該芯ケースの後端の開口に装着された蓋体とを備え、
前記蓋体は、前記シャープペンシル筆記体の略軸心位置に、該シャープペンシル筆記体の軸心方向へ芯ケース内外を連通する芯挿入孔を有し、
前記芯挿入孔の芯ケース内側の開口は、その周縁部が前記シャープペンシル筆記体の先端側へ突出するように形成されてなる突出部位を備えるとともに、芯が一本のみ挿通可能なサイズに設定されており、
前記筆記具本体は、その中に収容された前記シャープペンシル筆記体における前記芯挿入孔の芯ケース外側の開口に対し、該筆記具本体の後端側から芯を挿入可能にするための芯通路を該後端側に備えている。
【０００８】
前記「芯挿入孔の芯ケース内側の開口」としては、その内径が芯の外径の２倍未満であれば特に限定されないが、できるだけ芯の外径よりもわずかに大きい程度のサイズとすることが好ましい。また、芯ケースの内径は可能な限り大きくし、前記「芯挿入孔の芯ケース内側の開口」との落差を大きくすることが好ましい。また、前記突出部位としては、特に限定されないが、前記シャープペンシル筆記体の先端側が肉薄に形成されていることが好ましい。
【０００９】
この構成によれば、前記シャープペンシル筆記体がその後端に前記芯挿入孔を備えるとともに、前記筆記具本体が後端側に前記芯通路を備えているので、複式筆記具の後側から芯を補充することができる。また、前記芯挿入孔の芯ケース内側の開口は、その周縁部が前記シャープペンシル筆記体の先端側へ突出するように形成されてなる突出部位を備えるとともに、芯が一本のみ挿通可能なサイズに設定されているので、前記芯ケースの中に収容された芯が該芯ケース内側の開口から前記芯挿入孔に入り込んで前記芯ケースの外へ逆流することを防止することができる。また、前記シャープペンシル筆記体には、該シャープペンシル筆記体が前記筆記具本体に対して相対移動するとき（例えば筆記位置にさせたり、筆記位置から退避させたりするとき）、該相対移動に連動して前記芯ケース後端側で機械的に移動する部位がないため、該移動する部位がある場合に発生する問題（例えば、移動する部位に押圧されて芯が折れたり、損傷したりする問題）が一切生じない。従って、本発明によれば、複雑な構造や高精度な部品を使用することなく、筆記具本体の後端側からシャープペンシル筆記体に対し芯を補充可能な複式筆記具を低コストに実現することができる。
【００１０】
前記芯挿入孔の芯ケース外側の開口は、前記シャープペンシル筆記体の後端側になるほど拡径してなる拡径部位が形成された態様を例示する。
【００１１】
この構成によれば、芯を芯挿入孔に挿入し易く、使い勝手が良い。
【００１２】
前記芯挿入孔は、前記シャープペンシル筆記体の軸心方向へ芯をスライド自在にガイドするガイド部位を備えた態様を例示する。
【００１３】
この構成によれば、仮に前記芯ケースの中に収容された芯が該開口から芯挿入孔に入り込んで前記芯ケースの外へ逆流した場合でも、該ガイド部位により芯が軸心方向へガイドされる。このため、この状態でシャープペンシル筆記体がその軸心方向へ筆記具本体に対して相対移動した場合でも、芯がガイド部位により前記シャープペンシル筆記体の軸心方向へスライド自在にガイドされるので、芯に曲げ力が作用することがなく、折れ難い。
【発明の効果】
【００１４】
本発明に係る複式筆記具によれば、複雑な構造や高精度な部品を使用することなく、筆記具本体の後端側からシャープペンシル筆記体に芯を補充することができるようにすることができるという優れた効果を奏する。
【発明を実施するための最良の形態】
【００１５】
図１〜図７は本発明を具体化した一実施形態の複式筆記具１を示している。この複式筆記具１は、図１及び図２に示すように、複数の筆記体３（本例では、１本のシャープペンシル筆記体３ａ及び２本のボールペン筆記体３ｂ）を一本の筒状の筆記具本体２内に収納し、いずれかの筆記体３を選択的に先端側に突出させた筆記位置Ｐに切り換え可能に構成されている。
【００１６】
筆記具本体２は、先軸５と、該先軸５の後側に着脱可能に螺着されたガイド軸６と、ガイド軸６（又は先軸５）に相対回転可能かつ着脱不可能に取り付けられた後軸７とを備えている。本例では、後軸７にクリップ８が一体形成されている。
【００１７】
ガイド軸６には、その外周面に、周方向へ等間隔をおいて、筆記体３の本数分の軸心方向へ延びるスライドガイド溝１０が設けられている。各スライドガイド溝１０は、ガイド軸６の先端から後端まで延設されている。各スライドガイド溝１０内には、各筆記体３の後端に取り付けられたスライダ１１がスライド自在に取り付けられている。スライダ１１は、付勢手段としてのバネ１２により、ガイド軸６に対して後方へ付勢された状態となっている。ガイド軸６の後端部の外周面には環状凹部１３が形成されており、後軸７の後端部の内周面に形成された環状凸部１４に相対回転可能かつ着脱不可能に嵌合している。
【００１８】
後軸７は、後端開口に、消しゴム１６及びキャップ１７が着脱可能に装着されるとともに、内周面に、周方向へ延びる環状の段部からなる円筒カム１８を備えている。円筒カム１８は、クリップ８が設けられている側から見て、先端方向へ略Ｖ字状に大きく突出されてなる凸経路部１８ａと、該凸経路部１８ａの先端において後端方向へ略Ｖ字状に小さく窪まされてなる凹経路部１８ｂとを備えている。この円筒カム１８には、スライダ１１の外周面に突設された凸部１９がバネ１２により押し当てられるようになっており、この凸部１９は凹経路部１８ｂに係脱可能になっている。そして、円筒カム１８に沿って凸部１９を移動させることにより、該円筒カム１８の従節としてのスライダ１１に軸心方向への運動を行わせ、凹経路部１８ｂに凸部１９が係合された筆記体３のみが筆記位置Ｐになり、該筆記体３の先端が先軸５から突出し、筆記可能な状態となる。
【００１９】
シャープペンシル筆記体３ａは、その後端側に設けられた芯ケース２１と、該芯ケース２１の後端の開口に装着された蓋体としてのスライダ１１とを備えている。
【００２０】
この蓋体としてのスライダ１１は、図３及び図４に示すように、シャープペンシル筆記体３ａの略軸心位置に、該シャープペンシル筆記体３ａの軸心方向へ芯ケース内外を連通する芯挿入孔２２を有している。芯挿入孔２２は、シャープペンシル筆記体３ａの軸心方向へ芯Ｌをスライド自在にガイドするガイド部位２３を備えている。芯挿入孔２２の芯ケース内側の開口は、その周縁部がシャープペンシル筆記体３ａの先端側へ突出するように形成されてなる突出部位２４を備えるとともに、芯Ｌが一本のみ挿通可能なサイズに設定されている。また、芯挿入孔２２の芯ケース外側の開口は、シャープペンシル筆記体３ａの後端側になるほどテーパー状に拡径してなる拡径部位２５が形成されている。なお、蓋体としてのスライダ１１の形態としては、特に限定されないが、図６や図７に示すように変更することもできる。
【００２１】
筆記具本体２は、その中に収容されたシャープペンシル筆記体３ａにおける芯挿入孔２２の芯ケース外側の開口に対し、該筆記具本体２の後端側から芯Ｌを挿入可能にするための芯通路２７を該後端側に備えている。本例では、この芯通路２７は、ガイド軸６の後端まで延設されたスライドガイド溝１０内の空間と、筒状に形成された後軸７内の空間とにより形成されている。
【００２２】
この複式筆記具１のシャープペンシル筆記体３ａに芯Ｌを補充するには、まず、後軸７からキャップ１７及び消しゴム１６を取り外す。すると、後軸７の開口に芯通路２７を介して芯挿入孔２２の芯ケース外側の開口が露出する。図５（ａ）に示すように、この開口に芯Ｌの先端を挿入すると、該芯Ｌの先端は拡径部位２５により芯挿入孔の中心へとガイドされる。図５（ｂ）に示すように、芯Ｌの先端が芯挿入孔２２の奥に入り込むにつれて、芯Ｌはガイド部位２３により、シャープペンシル筆記体３ａの軸心方向へ向くようにガイドされる。そして、図５（ｃ）に示すように、最終的に芯全体が芯ケース２１内に入り込む。芯挿入孔２２の芯ケース２１内側の開口は、その周縁部がシャープペンシル筆記体３ａの先端側へ突出する突出部位２４が形成されてなるとともに、芯Ｌが一本のみ挿通可能なサイズに設定されているので、仮にシャープペンシル筆記体３ａの後端側が下方に向けられたとしても、芯ケース２１内の芯Ｌの後端が芯挿入孔２２の芯ケース内側の開口に嵌り込むことはほとんどない。なお、芯Ｌを補充するときは、シャープペンシル筆記体３ａが後退した非筆記位置にある方が、芯挿入孔２２が後軸７の開口に近くなるので芯Ｌを挿入し易いが、シャープペンシル筆記体３ａが前進した筆記位置Ｐにあっても芯Ｌの補充は可能である。
【００２３】
以上のように構成された本例の複式筆記具１によれば、シャープペンシル筆記体３ａがその後端に芯挿入孔２２を備えるとともに、筆記具本体２が後端側に芯通路２７を備えているので、複式筆記具１の後側から芯Ｌを補充することができる。また、芯挿入孔２２の芯ケース内側の開口は、その周縁部がシャープペンシル筆記体３ａの先端側へ突出するように形成されてなる突出部位２４を備えるとともに、芯Ｌが一本のみ挿通可能なサイズに設定されているので、芯ケース２１の中に収容された芯Ｌが該芯ケース内側の開口から芯挿入孔２２に入り込んで芯ケース２１の外へ逆流することを防止することができる。また、シャープペンシル筆記体３ａには、該シャープペンシル筆記体３ａが筆記具本体２に対して相対移動するとき（例えば筆記位置Ｐにさせたり、筆記位置Ｐから退避させたりするとき）、該相対移動に連動して芯ケース２１後端側で機械的に移動する部位がないため、該移動する部位がある場合に発生する問題（例えば、移動する部位に押圧されて芯Ｌが折れたり、損傷したりする問題）が一切生じない。従って、本発明によれば、複雑な構造や高精度な部品を使用することなく、筆記具本体２の後端側からシャープペンシル筆記体３ａに対し芯Ｌを補充可能な複式筆記具１を低コストに実現することができる。
【００２４】
また、芯挿入孔２２の芯ケース外側の開口は、シャープペンシル筆記体３ａの後端側になるほど拡径してなる拡径部位２５が形成されているので、芯Ｌを芯挿入孔２２に挿入し易く、使い勝手が良い。
【００２５】
また、芯挿入孔２２は、シャープペンシル筆記体３ａの軸心方向へ芯Ｌをスライド自在にガイドするガイド部位２３を備えているので、仮に芯ケース２１の中に収容された芯Ｌが該開口から芯挿入孔２２に入り込み、芯ケース２１の外へ逆流した場合でも、該ガイド部位２３により芯Ｌが軸心方向へガイドされる。このため、この状態でシャープペンシル筆記体３ａがその軸心方向へ筆記具本体２に対して相対移動した場合でも、芯Ｌがガイド部位２３によりシャープペンシル筆記体３ａの軸心方向へスライド自在にガイドされるので、芯に曲げ力が作用することがなく、折れ難い。
【００２６】
なお、本発明は前記実施形態に限定されるものではなく、例えば以下のように、発明の趣旨から逸脱しない範囲で適宜変更して具体化することもできる。
（１）筆記具本体２内に収納される筆記体３の本数は２本以上であればよく、前記実施形態で例示した３本に限定されない。
（２）筆記具本体２内に収容されるシャープペンシル筆記体３ａの数は２本以上でもよく、前記実施形態で例示した１本には限定されない。
（３）芯挿入時に誤ってボールペン筆記体３ｂの後端に向けて芯を挿入することを防止する防止手段（例えば、ボールペン筆記体３ｂを装着したスライドガイド溝１０の後端に蓋を取り付けること。）を設けること。
【図面の簡単な説明】
【００２７】
【図１】本発明を具体化した一実施形態に係る複式筆記具の縦断面図である。
【図２】図１のＩＩ矢視図である。
【図３】同複式筆記具におけるシャープペンシル筆記体の後端部の断面図である。
【図４】同シャープペンシル筆記体の後端部の分解斜視図である。
【図５】同シャープペンシル筆記体に芯を補充する手順を示す図である。
【図６】同シャープペンシル筆記体の後端部の変更例を示す図である。
【図７】同シャープペンシル筆記体の後端部の別の変更例を示す図である。
【図８】従来の複式筆記具の縦断面図である。
【図９】従来の別の複式筆記具の縦断面図である。
【符号の説明】
【００２８】
１    複式筆記具
２    筆記具本体
３    筆記体
３ａ  シャープペンシル筆記体
３ｂ  ボールペン筆記体
５    先軸
６    ガイド軸
７    後軸
８    クリップ
１０    スライドガイド溝
１１    スライダ
１２    バネ
１３    環状凹部
１４    環状凸部
１６    消しゴム
１７    キャップ
１８    円筒カム
１８ａ  凸経路部
１８ｂ  凹経路部
１９    凸部
２１    芯ケース
２２    芯挿入孔
２３    ガイド部位
２４    突出部位
２５    拡径部位
２７    芯通路
Ｌ    芯
Ｐ    筆記位置
【図１】
2007106051.tif 000003
【図２】
2007106051.tif 000004
【図３】
2007106051.tif 000005
【図４】
2007106051.tif 000006
【図５】
2007106051.tif 000007
【図６】
2007106051.tif 000008
【図７】
2007106051.tif 000009
【図８】
2007106051.tif 000010
【図９】
2007106051.tif 000011